(57)【要約】【課題】  自動受信時刻をユーザーの環境に応じて自動設定でき、自動受信の回数を少なくできて消費電力を低減でき、電池の使用時間を長くできる電波修正時計の提供。【解決手段】  電波修正時計１は、受信手段２と、計時手段４１と、時刻表示手段５と、受信した時刻情報に基づいて前記時刻を修正する時刻修正手段と、受信手段の自動受信時刻を設定する自動受信時刻設定手段４６と、記憶手段４３とを備える。自動受信時刻設定手段４６は、複数の時刻で受信手段を駆動してサンプリング受信処理を行うサンプリング処理手段４６１と、サンプリング受信処理結果を記憶手段４３に記憶するサンプリング結果記憶手段４６２と、サンプリング受信処理結果に基づいて自動受信時刻を選択して設定する自動受信時刻選択手段４６３とを有する。【選択図】図１
2005233825.tif 000002
【特許請求の範囲】
【請求項１】
時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段と、前記受信手段の自動受信時刻を設定する自動受信時刻設定手段と、記憶手段とを備え、
前記自動受信時刻設定手段は、複数の時刻で受信手段を駆動してサンプリング受信処理を行うサンプリング処理手段と、サンプリング受信処理結果を前記記憶手段に記憶するサンプリング結果記憶手段と、サンプリング受信処理を行った時刻の中から前記記憶手段に記憶されたサンプリング受信処理結果に基づいて自動受信時刻を選択して設定する自動受信時刻選択手段と、を有することを特徴とする電波修正時計。
【請求項２】
請求項１に記載の電波修正時計において、
前記サンプリング処理手段は、電源投入後、最初に予め設定された時刻になった際にサンプリング受信処理を行うことを特徴とする電波修正時計。
【請求項３】
請求項１または請求項２に記載の電波修正時計において、
前記サンプリング処理手段は、ユーザーの所定操作時にサンプリング受信処理を行うことを特徴とする電波修正時計。
【請求項４】
請求項１から請求項３のいずれかに記載の電波修正時計において、
前記サンプリング処理手段は、所定期間毎に定期的にサンプリング受信処理を行うことを特徴とする電波修正時計。
【請求項５】
請求項１から請求項４のいずれかに記載の電波修正時計において、
前記標準電波は時刻情報を表す複数のパルス信号を含み、
前記サンプリング結果記憶手段は、標準電波のパルス信号を所定数受信した際に、各パルス信号の周期を測定し、その周期が設定周期内のパルス信号の数を検出し、その数を受信レベルとして前記記憶手段に記憶することを特徴とする電波修正時計。
【請求項６】
時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段と、前記受信手段の自動受信時刻を設定する自動受信時刻設定手段とを備え、
前記自動受信時刻設定手段は、自動受信が失敗した時は、次回の自動受信時刻を所定時間変更する自動受信時刻変更手段を備えることを特徴とする電波修正時計。
【請求項７】
請求項６に記載の電波修正時計において、
前記自動受信時刻設定手段は、予め設定された固定受信時刻と、前記自動受信時刻変更手段で可変される可変受信時刻との２種類の自動受信時刻を設定することを特徴とする電波修正時計。
【請求項８】
請求項７に記載の電波修正時計において、
前記自動受信時刻設定手段は、複数の時刻で受信手段を駆動してサンプリング受信処理を行うサンプリング処理手段と、サンプリング受信処理結果を記憶手段に記憶するサンプリング結果記憶手段と、サンプリング受信処理を行った時刻の中から前記記憶手段に記憶されたサンプリング受信処理結果に基づいて自動受信時刻を選択して前記固定受信時刻に設定する自動受信時刻選択手段とを有することを特徴とする電波修正時計。
【請求項９】
請求項６から請求項８のいずれかに記載の電波修正時計において、
前記自動受信時刻変更手段は、変更した時刻が予め設定された所定時刻範囲を外れた場合には、初期設定値に戻すことを特徴とする電波修正時計。
【請求項１０】
時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段と、前記受信手段の自動受信時刻を設定する自動受信時刻設定手段と、記憶手段とを備える電波修正時計の制御方法であって、
複数の時刻で受信手段を駆動してサンプリング受信処理を行い、そのサンプリング受信処理結果を前記記憶手段に記憶し、サンプリング受信処理を行った時刻の中から前記記憶手段に記憶されたサンプリング受信処理結果に基づいて自動受信時刻を選択して設定することを特徴とする電波修正時計の制御方法。
【請求項１１】
時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段と、前記受信手段の自動受信時刻を設定する自動受信時刻設定手段とを備える電波修正時計の制御方法であって、
自動受信が失敗した時は、次回の自動受信時刻を所定時間変更することを特徴とする電波修正時計の制御方法。
【請求項１２】
時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段と、記憶手段とを備える電波修正時計に組み込まれたコンピュータを、
複数の時刻で受信手段を駆動してサンプリング受信処理を行うサンプリング処理手段と、サンプリング受信処理結果を前記記憶手段に記憶するサンプリング結果記憶手段と、サンプリング受信処理を行った時刻の中から前記記憶手段に記憶されたサンプリング受信処理結果に基づいて自動受信時刻を選択して設定する自動受信時刻選択手段と、を有する自動受信時刻設定手段として機能させることを特徴とする電波修正時計の制御プログラム。
【請求項１３】
時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段とを備える電波修正時計に組み込まれたコンピュータを、
自動受信が失敗した時は、次回の自動受信時刻を所定時間変更する自動受信時刻変更手段を有する自動受信時刻設定手段として機能させることを特徴とする電波修正時計の制御プログラム。
【請求項１４】
請求項１２または請求項１３に記載の制御プログラムが記録されたコンピュータ読み取り可能な記録媒体。
【発明の詳細な説明】
【技術分野】
【０００１】
本発明は、電波修正時計、電子修正時計の制御方法、電子修正時計の制御プログラム、このプログラムが記録された記録媒体に関する。
【背景技術】
【０００２】
近年、時刻情報を含む電波（長波標準電波）を受信し、その時刻情報で時刻を自動的に修正して表示する電波修正時計が利用されている。電波修正時計では、受信方法は、ユーザーが手動で行う手動（強制）受信、時計が自動で行う自動受信の２種類がある。
自動受信は、予め設定された時間（通常は受信状態が良好な夜間から早朝の０〜５時頃）に行われるのが一般的である。例えば、特許文献１に記載の電波修正時計は、予め設定された複数の時刻（０，１，２，３，４，８時等）に受信及び時刻修正を行わせている。
【０００３】
【特許文献１】特開２００２−１８１９６３号公報（段落番号［００１５］参照）
【発明の開示】
【発明が解決しようとする課題】
【０００４】
しかしながら、特許文献１のように、自動受信回数を多くすることは、時刻情報を取得できる確率が高くなる利点があるが、消費電力が増大して、電池の使用可能時間が短くなる点が問題点の一例として挙げられる。
一方で、自動受信回数を少なくして、例えば０時のみにすると、条件によっては電波を受信できないことがある。例えば、ユーザーの生活環境によっては、０時はノイズの多い環境であって電波を受信できないことがある。この場合、自動受信では時刻修正ができず、強制受信により対応しなければならないという点が問題点の一例として挙げられる。
【０００５】
本発明の目的は、このような問題点に鑑みて、自動受信時刻を、ユーザーの環境に応じて自動設定でき、自動受信の回数を少なくできて消費電力を低減でき、電池の使用時間を長くできる電波修正時計、その制御方法、その制御プログラムおよび記憶媒体を提供することにある。
【課題を解決するための手段】
【０００６】
本発明の電波修正時計は、時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段と、前記受信手段の自動受信時刻を設定する自動受信時刻設定手段と、記憶手段とを備え、前記自動受信時刻設定手段は、複数の時刻で受信手段を駆動してサンプリング受信処理を行うサンプリング処理手段と、サンプリング受信処理結果を前記記憶手段に記憶するサンプリング結果記憶手段と、サンプリング受信処理を行った時刻の中から前記記憶手段に記憶されたサンプリング受信処理結果に基づいて自動受信時刻を選択して設定する自動受信時刻選択手段と、を有することを特徴とする。
【０００７】
このような本発明によれば、自動受信時刻設定手段のサンプリング処理手段で受信手段を駆動し、サンプリング受信処理を行う。そして、サンプリング結果記憶手段は、サンプリング受信処理結果、例えば、サンプリング受信を行った時刻に対応する受信レベルを記憶手段に記憶する。
自動受信時刻選択手段は、サンプリング受信処理を行った時刻の中から前記記憶手段に記憶されたサンプリング受信処理結果に基づいて自動受信時刻を選択して設定する。例えば、自動受信時刻選択手段は、受信レベルが最も大きいサンプリング受信処理時刻を選択して自動受信時刻に設定する。
受信手段は、自動受信時刻設定手段で設定された自動受信時刻に作動されて受信処理を行う。
【０００８】
本発明においては、サンプリング受信処理によって受信結果が良い時刻が判別できるため、その後の自動受信時刻をサンプリング受信処理結果に応じて選択設定することで、各ユーザーの利用状況に応じた受信条件が良い時刻に電波受信処理を行うことができる。このため、受信処理回数が少なくても確実に電波受信を行うことができる。従って、受信回数を少なくできることで、消費電力を低減できて電池の使用時間も長くできるとともに、電波を確実に受信できる可能性が高くなり、ユーザーが強制受信を行う必要がなく、受信操作性を向上できる。
【０００９】
この際、前記サンプリング処理手段は、電源投入後、最初に予め設定された時刻になった際にサンプリング受信処理を行うことが好ましい。
電源投入後、最初に予め設定された時刻とは、電源投入後、計時手段で計時される時刻が、サンプリング処理手段に予め設定されたサンプリング処理時刻になったことを意味する。なお、この設定時刻は、適宜設定できるが、通常は、一般的な電波修正時計において、自動受信時刻が設定される時簡帯、例えば０〜５時（深夜から早朝）等に設定することが好ましい。
【００１０】
電源投入後、最初に設定時刻になった際にサンプリング受信処理を行えば、予め設定された時刻、例えば０〜５時（深夜から早朝）等の電気製品等の稼働が少なく、電波受信に影響を与えるノイズが少なく、腕時計を腕から外して机などに載置していることで受信条件の良い時間帯にサンプリング受信を行うことができる。
このため、サンプリング受信によって受信条件の良い時間帯を検出できる可能性が非常に高くなり、その後の自動受信時においても確実に電波を受信して時刻修正を行うことができる。
【００１１】
また、前記サンプリング処理手段は、ユーザーの所定操作時にサンプリング受信処理を行うことが好ましい。
ここで、ユーザーの所定操作時とは、例えば、サンプリング受信処理を行わせる所定の操作が設定されている際にその操作が行われた場合や、ユーザーが電池交換したり、リセット操作することでシステムがリセットされる場合などである。
【００１２】
本発明においては、ユーザーがサンプリング受信処理を実行させる操作を行ったり、リセット操作することで、自由な時間帯でサンプリング受信処理を行うことができる。一般的なユーザーの使用環境では、０〜５時頃が最も受信条件が好ましいが、ユーザーによっては、それ以外の時間帯のほうが受信条件が良好な場合もある。例えば、腕時計タイプの電波修正時計では、腕に装着されている場合には、時計の向きが変化し易いため、電波も受信し難いことが多い。このため、夜間に働いている人は、０〜５時以外のほうが電波受信しやすい場合もある。また、標準電波を中継して会社内に配信する中継器などがある場合には、会社内にいる勤務時間帯のほうが電波を受信し易い場合もある。
このようなユーザーにとっては、一般的に受信環境が良好な０〜５時以外の時間帯で受信したい場合もあるが、ユーザーの所定操作時にサンプリング受信処理を行うように設定されていれば、ユーザーにとって受信しやすい時間帯にサンプリング受信処理を行うことで、そのユーザーにとって受信条件の良い時間帯を検出できる可能性が非常に高くなり、その後の自動受信時においても確実に電波を受信して時刻修正を行うことができる。
【００１３】
また、前記サンプリング処理手段は、所定期間毎に定期的にサンプリング受信処理を行うことが好ましい。
定期的にサンプリング受信処理を行えば、ユーザーの利用環境が変化しても、サンプリング受信処理を再実行することで、その環境変化に対応して自動受信時刻を変更できるため、常に最適な時刻で受信を行うことができる。
【００１４】
さらに、前記標準電波は時刻情報を表す複数のパルス信号を含み、前記サンプリング結果記憶手段は、標準電波のパルス信号を所定数受信した際に、各パルス信号の周期を測定し、その周期が設定周期内のパルス信号の数を検出し、その数を受信レベルとして前記記憶手段に記憶することが好ましい。
例えば、標準電波は通常、１秒周期のパルス信号が６０個で１つの時刻情報を表す。この際、所定の検出対象回数だけ受信したパルス信号のうち、周期が設定周期内であったパルス信号の数（検出対象回数が２０回であれば、０〜２０回となる）が多いほど、各パルス信号が正しく受信できており、受信環境が良好であると判断できる。従って、この回数を受信レベルとみなして記憶手段に記憶することで、最も受信環境が良好な時間帯を容易に把握することができる。
なお、パルス信号の周期が設定周期内であるか否かは、例えば、受信した標準電波の各パルス信号の周期が基準周期（例えば１秒）を基準として設定された範囲、例えば基準周期の±６〜１０％以内であるか否かで判定できる。具体例で説明すれば、例えば、受信したパルス信号の周期が、設定周期（例えば、１秒±６２．５ｍｓ）以内であるか否かで判断することができる。
【００１５】
なお、サンプリング結果記憶手段は、標準電波の各パルス信号の周期に基づいて受信環境（受信レベル）を判定するものに限らず、例えば、標準電波の受信レベルを直接測定してそのレベル値を記憶手段に記憶するものや、受信信号のデータ（時刻データ）を検証してデータエラーの有無を記憶手段に記憶するものなどが利用できる。要するに、サンプリング結果記憶手段は、自動受信時刻設定手段において、受信環境が良好な時刻を判定できる情報を記憶手段に記憶できるものであればよい。
【００１６】
本発明の電波修正時計は、時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段と、前記受信手段の自動受信時刻を設定する自動受信時刻設定手段とを備え、前記自動受信時刻設定手段は、自動受信が失敗した時は、次回の自動受信時刻を所定時間変更する自動受信時刻変更手段を備えることを特徴とする。
【００１７】
本発明においては、自動受信時刻設定手段は、例えば、自動受信時刻の初期設定値として、０時等の所定値を設定する。そして、受信手段は、自動受信時刻設定手段で設定された時刻になると作動され、受信処理を行う。この際、受信処理に成功すれば、自動受信時刻は変更されず、翌日も同時刻に受信処理が行われる。一方で、受信処理に失敗した場合には、自動受信時刻変更手段によって自動受信時刻が所定時間、例えば３０分後に変更される。このため、翌日の自動受信処理は、０時ではなく０時３０分に実施される。このような処理を繰り返すことで、そのユーザーの使用環境において最も受信環境がよい時間帯が自動的に検出されることになる。このため、受信処理回数が少なくても確実に電波受信を行うことができる。従って、受信回数を少なくできることで、消費電力を低減できて電池の使用時間も長くできるとともに、電波を確実に受信できる可能性が高くなり、ユーザーが強制受信を行う必要がなく、受信操作性を向上できる。
【００１８】
なお、受信に成功したか失敗したかは、正しい時刻データが取得できたか否かで判断できる。例えば、標準電波において、３つのデータを連続して受信した場合、各受信データは、１分間隔の情報を有するため、２番目のデータは、１番目のデータの１分後のデータとなり、３番目のデータは、１番目のデータの２分後のデータとなる。このため、１番目に格納した受信データに「２分」を加算し、２番目に格納した受信データに「１分」を加算し、各データが一致するかを判断すればよい。または、前後の受信データの差が、１分間隔であるか否かで、正しい時刻情報を受信できているか否かを判断してもよい。
【００１９】
ここで、前記自動受信時刻設定手段は、予め設定された固定受信時刻と、前記自動受信時刻変更手段で可変される可変受信時刻との２種類の自動受信時刻を設定することが好ましい。
例えば、自動受信時刻設定手段によって、固定受信時刻として２時が設定され、可変受信時刻の初期値として３時が設定されている場合に、当初、２時および３時になると受信手段が作動されて受信処理が行われる。ここで、可変受信時刻である３時に受信が失敗すると、自動受信時刻変更手段によって可変受信時刻は変更され、例えば３時３０分に設定し直される。従って、翌日は、２時および３時３０分に受信処理が実施される。
このような構成によれば、一般的に受信環境が良好な時刻等を固定受信時刻とすることで、通常は固定受信時刻で受信処理を行うことができる。また、仮に、固定受信時刻で受信処理に失敗しても、可変受信時刻においても受信処理を行うことができるので、受信処理に成功する確率を高めることができる。その上、可変受信時刻は、その時刻で受信に失敗すれば自動的に受信時刻が変更されるため、ユーザーの利用環境に応じて受信できる可能性をより一層高めることができる。
【００２０】
ここで、前記自動受信時刻設定手段は、複数の時刻で受信手段を駆動してサンプリング受信処理を行うサンプリング処理手段と、サンプリング受信処理結果を記憶手段に記憶するサンプリング結果記憶手段と、サンプリング受信処理を行った時刻の中から前記記憶手段に記憶されたサンプリング受信処理結果に基づいて自動受信時刻を選択して前記固定受信時刻に設定する自動受信時刻選択手段とを有することが好ましい。
このような構成によれば、固定受信時刻を設定する際に、サンプリング受信処理を行うことで最も受信環境の良い時間帯を設定することができる。このため、固定受信時刻において電波を受信できる可能性が高まり、その分、確実に時刻修正を行うことができる。
【００２１】
また、前記自動受信時刻変更手段は、変更した時刻が予め設定された所定時刻範囲を外れた場合には、初期設定値に戻すことが好ましい。
このような構成にすれば、可変受信時刻を所定の時刻範囲内に納めることができるので、前記所定時刻範囲を適宜設定しておくことで、受信環境が良好な時間帯のみで受信処理を実行できる。
【００２２】
本発明の電波修正時計の制御方法は、時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段と、前記受信手段の自動受信時刻を設定する自動受信時刻設定手段と、記憶手段とを備える電波修正時計の制御方法であって、複数の時刻で受信手段を駆動してサンプリング受信処理を行い、そのサンプリング受信処理結果を前記記憶手段に記憶し、サンプリング受信処理を行った時刻の中から前記記憶手段に記憶されたサンプリング受信処理結果に基づいて自動受信時刻を選択して設定することを特徴とする。
【００２３】
本発明によれば、前記電波修正時計と同様に、サンプリング受信処理によって受信結果が良い時刻が判別できるため、その後の自動受信時刻をサンプリング受信処理結果に応じて選択設定することで、各ユーザーの利用状況に応じた受信条件が良い時刻に電波受信処理を行うことができる。このため、受信処理回数が少なくても確実に電波受信を行うことができる。従って、受信回数を少なくできることで、消費電力を低減できて電池の使用時間も長くできるとともに、電波を確実に受信できる可能性が高くなり、ユーザーが強制受信を行う必要がなく、受信操作性を向上できる。
【００２４】
本発明の電波修正時計の制御方法は、時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段と、前記受信手段の自動受信時刻を設定する自動受信時刻設定手段とを備える電波修正時計の制御方法であって、自動受信が失敗した時は、次回の自動受信時刻を所定時間変更することを特徴とする。
【００２５】
本発明によれば、前記電波修正時計と同様に、受信処理に失敗した場合には、自動受信時刻変更手段によって自動受信時刻が所定時間変更されるため、そのユーザーの使用環境において最も受信環境がよい時間帯が自動的に検出される。このため、受信処理回数が少なくても確実に電波受信を行うことができる。従って、受信回数を少なくできることで、消費電力を低減できて電池の使用時間も長くできるとともに、電波を確実に受信できる可能性が高くなり、ユーザーが強制受信を行う必要がなく、受信操作性を向上できる。
【００２６】
本発明の電波修正時計の制御プログラムは、時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段と、記憶手段とを備える電波修正時計に組み込まれたコンピュータを、複数の時刻で受信手段を駆動してサンプリング受信処理を行うサンプリング処理手段と、サンプリング受信処理結果を前記記憶手段に記憶するサンプリング結果記憶手段と、サンプリング受信処理を行った時刻の中から前記記憶手段に記憶されたサンプリング受信処理結果に基づいて自動受信時刻を選択して設定する自動受信時刻選択手段と、を有する自動受信時刻設定手段として機能させることを特徴とする。
【００２７】
本発明の電波修正時計の制御プログラムは、時刻情報を含む標準電波を受信する受信手段と、基準信号源からの基準信号に基づいて時刻を計時する計時手段と、この計時時刻を表示する時刻表示手段と、前記受信手段で受信した時刻情報に基づいて前記時刻を修正する時刻修正手段とを備える電波修正時計に組み込まれたコンピュータを、自動受信が失敗した時は、次回の自動受信時刻を所定時間変更する自動受信時刻変更手段を有する自動受信時刻設定手段として機能させることを特徴とする。
【００２８】
本発明のコンピュータ読み取り可能な記憶媒体は、請求項１２または請求項１３に記載の制御プログラムが記録されたコンピュータ読み取り可能な記録媒体である。
【００２９】
これらのプログラムおよび記憶媒体の各発明によれば、前記電波修正時計および制御方法と同じ作用効果を奏することができる。
【発明の効果】
【００３０】
本発明によれば、ユーザーの環境に適した自動受信時刻を自動設定でき、自動受信の回数を少なくすることができ、消費電力を低減できて電池の使用時間を長くすることができる。
【発明を実施するための最良の形態】
【００３１】
以下、本発明の実施の形態を図面に基づいて説明する。
〔第１実施形態〕
図１は、第１実施形態の腕時計である電波修正時計１の構成を示すブロック図である。
この電波修正時計１は、アナログ表示式であり、時刻情報を含んだ標準電波を受信する受信手段としての受信部２と、基準クロックを生成する基準信号生成部３と、装置全体を制御する制御回路４と、時刻等を表示する時刻表示手段５とを備えて構成されている。
【００３２】
受信部２は、時刻情報を含んだ標準電波を受けるアンテナ２１と、アンテナ２１で受けた標準電波を処理（増幅、復調等）する受信回路２２と、受信回路２２で処理された信号から時刻情報をデコードするデコード回路２３と、受信回路２２に電力を供給する受信電源回路２４とを備えて構成されている。
【００３３】
時刻情報を含んだ標準電波としては、長波標準電波（ＪＪＹ）などが利用できる。この長波標準電波は、１周期６０秒（６０ビット）の信号であり、そのタイムコードフォーマットには、現時刻の分、時、現在年の１月１日からの通算日、年（西暦下２桁）、曜日および「うるう秒」が含まれている。
このＪＪＹでは、１周期の先頭マーカーの位置（出力タイミング）が正分（毎分０秒）の立ち上がりに対応し、１周期の先頭マーカーの時刻（年、通算日、時、分）を符号化して送信している。 
そして、ＪＪＹでは、情報は１秒間隔のパルス信号で表され、そのパルス幅が０．２秒程度であればマーカーやポジションマーカーを示し、０．８秒程度であれば２進の「０」を示し、０．５秒程度であれば２進の「１」を示す。従って、上記分、時等の各項目の値は、割り当てられた各パルス信号の組み合わせによって構成される。ちなみに、長波標準電波はセシウム原子時計を基準としているため、この長波標準電波を受信して時刻を修正する電波修正時計は、誤差が１０万年に１秒という非常に高い精度を得ることができる。
【００３４】
受信回路２２は、制御回路４からの信号によって受信電源回路２４が起動することにより時刻情報の受信動作を開始し、受信した時刻情報はデコード回路２３に出力する。受信回路２２では、受信した時刻情報を増幅、復調する。この受信部２によって受信工程が行われる。
【００３５】
基準信号生成部３は、水晶振動子などで構成される発振回路３１と、この発振回路３１からのパルスを分周して基準クロック（１Ｈｚ等)を生成する分周回路３２から構成されている。生成された基準クロックは制御回路４に出力される。
【００３６】
制御回路４は、計時手段４１と、受信処理手段４２と、記憶手段４３と、運針駆動制御手段４４と、カレンダ表示手段４５と、自動受信時刻設定手段４６とを備える。
また、時刻表示手段５は、アナログ式の時刻指示手段であり、目盛りを有する文字板５１と、時針５２と、分針５３と、秒針５４とを備えて構成されている。時針５２、分針５３、秒針５４は、例えばステッピングモータなどの駆動手段により駆動され、制御回路４の運針駆動制御手段４４で制御される。
なお、文字板５１には、日付表示用の窓５５が開口され、この窓５５には、文字板５１裏に配置された日車がカレンダ表示手段４５で回転駆動されることで、現在の日が表示される。
【００３７】
計時手段４１は、時刻表示手段５の指針の位置に対応するカウンタ値をカウントする針位置カウンタと、基準信号生成部３からの基準信号をカウントする内部カウンタとを備え、基準信号が入力されることで現時刻を計時するとともに、標準電波を受信した際には、その時刻情報で指針を修正できるように構成された電波修正時計における一般的な計時手段である。
受信処理手段４２は、自動受信時刻設定手段４６で予め設定された自動受信時刻になった場合や利用者の操作によって受信部２の駆動を制御し、受信部２で受信した標準電波の時刻情報を取得し、計時手段４１の内部カウンタに書き込む制御を行う。従って、本実施形態では、受信処理手段４２は、計時手段４１を受信した時刻情報に修正する時刻修正手段としても機能している。
【００３８】
記憶手段４３は、記憶回路（ＲＡＭ）によって構成され、図２に示すように、所定のアドレスに、受信レベルおよび受信時刻の各データが記憶できるように構成されている。
本実施形態では、アドレスがメモリ１〜５の場所には、サンプリング受信処理を行った際の受信レベルがそれぞれ記憶されている。本実施形態では、サンプリング受信処理は、「０時、１時、２時、３時、４時」の５回行われるように設定されているため、各メモリ１〜５には、「０時、１時、２時、３時、４時」の各サンプリング受信処理時の受信レベルがそれぞれ記憶される
また、アドレスがメモリＡ、メモリＢの場所には、設定された自動受信時刻である「１時」、「３時」が記憶される。
【００３９】
運針駆動制御手段４４は、計時手段４１の内部カウンタに対する針位置カウンタの差分を求め、その差分量に応じた駆動信号を、時刻表示手段５の駆動手段に対して出力し、ステップモータ等の駆動手段を駆動して運針駆動を制御する。
すなわち、通常運針時には、内部カウンタおよび針位置カウンタの各カウンタ値が一致している状態で、分周回路３２から内部カウンタに基準信号が入力されてカウントアップされると、運針駆動制御手段４４はその差分量（カウンタ値「１」）を検出し、１パルスの駆動信号を時刻表示手段５に出力して秒針５４を１秒分駆動する。運針駆動制御手段４４は、同時に、針位置カウンタにも１パルス出力してカウントアップさせ、内部カウンタと一致させる。
また、受信した標準電波が内部カウンタに上書きされて、各カウンタの値が大きく異なる場合には、針位置カウンタのカウンタ値が内部カウンタに一致するまで、駆動信号を出力して指針を早送りし、指針を現時刻に修正する。
なお、このような運針駆動制御手段４４は、従来の電波修正時計と同じであるため、これ以上の説明は省略する。
【００４０】
カレンダ表示手段４５は、運針駆動制御手段４４と同様に計時手段４１内（内部カウンタ）の時データのカウントアップで計時されたカレンダ情報（日、月、年）と、日車の位置情報を記憶する日車位置カウンタで制御され、通常運針時には、内部カウンタおよび日車針位置カウンタの各カウンタ値が一致している状態でおり、カレンダ情報がカウントアップされると、カレンダ表示手段４５はその差分量を検出し、差分量パルスの駆動信号を出力して日車を駆動し、窓５５に表示される暦情報を制御する。同時に、日車位置カウンタにも差分量パルス出力してカウントアップさせ、内部カウンタと一致させる。なお、本実施形態では、「日」のみであるが、「日」と「曜」を表示してもよく、さらには、「月」や「年」を表示してもよい。
【００４１】
自動受信時刻設定手段４６は、サンプリング処理手段４６１、サンプリング結果記憶手段４６２、自動受信時刻選択手段４６３を備えている。
サンプリング処理手段４６１は、所定の時刻あるいは操作に応じて受信部２を作動し、サンプリング受信処理を行う。本実施形態では、以下に説明する２つの場合にサンプリング受信処理を行う。
第１に、サンプリング処理手段４６１は、電池交換などで電源が投入された後、最初に予め設定されたサンプリング処理時刻になるとサンプリング受信処理を実行する。例えば、本実施形態ではサンプリング処理時刻は「０時、１時、２時、３時、４時」に設定されているので、電源投入後、計時手段４１で計時している時刻（内部カウンタの時刻）が前記各時刻になると、サンプリング処理手段４６１は受信部２を作動してサンプリング受信処理を行う。
第２に、サンプリング処理手段４６１は、最初にサンプリング受信処理を行った後、所定期間経過する毎にサンプリング受信処理を行う。本実施形態では、前回のサンプリング受信処理が行われた後、２週間毎にサンプリング受信処理を行うように設定されている。
【００４２】
サンプリング結果記憶手段４６２は、サンプリング処理手段４６１でサンプリング受信処理が行われた際に、そのサンプリング結果を記憶手段４３の各メモリ１〜５に記憶する。
具体的には、サンプリング結果記憶手段４６２は、次のようにしてサンプリング結果（受信レベル）を記憶手段４３に記憶している。すなわち、標準電波の各パルス信号は、１秒周期で送信されるため、受信したパルス信号のうち、ほぼ１秒の周期（設定周期内）であるパルス信号の数を受信レベルとして記憶手段４３に記憶している。例えば、サンプリング結果記憶手段４６２は、受信したパルス信号の周期を２０秒（２０回）測定し、その周期が設定周期内（１秒±６２．５ｍｓ）に入っている回数をカウントする。このカウント数が大きいほど、正しい信号を受信していると見なせるので、つまり受信レベルが高いと見なせるため、サンプリング結果記憶手段４６２は、その回数を受信レベルとして記憶手段４３の各メモリ１〜５に記憶する。
【００４３】
自動受信時刻選択手段４６３は、記憶手段４３に記憶された各メモリ１〜５の受信レベルを比較し、最も受信レベルが高い受信時刻をメモリＡに記憶し、２番目に受信レベルが高い受信時刻をメモリＢに記憶する。例えば、図２に示す例では、メモリ２つまり１時に受信処理した際が最も受信レベル（カウント数）が高いため、自動受信時刻選択手段４６３は、メモリＡに１時を記憶する。次に受信レベルが高いのは、メモリ４、つまり３時に受信処理した際であるため、自動受信時刻選択手段４６３は、メモリＢに３時を記憶する。
以上の処理により、自動受信時刻設定手段４６は、１時および３時を自動受信時刻に設定する。
【００４４】
そして、前記受信処理手段４２は、記憶手段４３に記憶されたメモリＡ，Ｂのデータを参照し、計時手段４１で計時している時刻（内部カウンタ）がメモリＡ，Ｂで設定された時刻になると、受信部２を作動し、通常の受信処理を行う。
【００４５】
ここで、受信部２のデコード回路２３、受信電源回路２４、基準信号生成部３、制御回路４は、適宜な回路素子等で構成してもよいが、本実施形態では、マイクロコンピュータで構成されている。すなわち、ＣＰＵやメモリ（ＲＯＭ，ＲＡＭ等）を有するマイクロコンピュータに、所定のプログラムを読み込ませて作動させることで、各手段や回路を構成している。
【００４６】
このような構成からなる電波修正時計１における制御回路４の動作を図３〜６をも参照して説明する。  〔自動受信時刻設定処理実施判定〕
制御回路４は、例えば、毎日１回、決められた時刻に、図３に示す自動受信時刻設定処理を行う。自動受信時刻設定処理では、まず、自動受信時刻が設定されているか否かを判断する（ステップ１、以下ステップを「Ｓ」と略す）。具体的には、記憶手段４３のメモリＡ，Ｂにデータが記憶されているか否かで判断する。
なお、記憶手段４３のデータは、電源投入時やシステムリセット時に初期化されてクリアされるため、電源投入後やリセット後は、Ｓ１で「Ｙ」と判断される。そして、この場合、Ｓフラグを「１」に設定する（Ｓ２）。Ｓフラグは、サンプリング受信処理による自動受信時刻設定処理が行われているか否かを表すフラグであり、「１」は処理を実施していない状態、「０」は設定処理を実施した状態を表す。
【００４７】
また、Ｓ１で「Ｎ」と判断された場合は、前回の自動受信時刻設定処理から２週間経過したか否かを判断する（Ｓ３）。２週間経過している場合には、「Ｙ」と判断され、Ｓ２によってＳフラグが「１」に設定される。すなわち、本実施形態では、自動受信時刻設定処理は、前述のように、電源投入時やシステムリセット時に行われる他、２週間毎に行われる。
なお、電源投入時やシステムリセット時には、計時手段４１における内部カウンタが初期化され、針位置カウンタ等と一致しなくなるため、通常の電波修正時計と同様に、各カウンタのイニシャライズを行って各カウンタを同期化し、さらに標準電波を強制受信して各カウンタ値および針位置を修正しておけばよい。
【００４８】
〔サンプリング処理（受信レベル検出）〕
制御回路４は、自動受信時刻設定手段４６を用いて、図４に示す受信レベル検出処理（サンプリング処理）を実行する。自動受信時刻設定手段４６のサンプリング処理手段４６１は、まずＳフラグが１であるか否かを判断する（Ｓ１１）。Ｓ１１において、Ｓフラグが「０」であれば、既に自動受信時刻設定処理が行われているので、受信レベル検出処理（サンプリング処理）は実行されない。
【００４９】
一方、Ｓフラグが「１」の場合、サンプリング処理手段４６１は、計時手段４１で計時されている時刻を参照し、予め設定されているサンプリング処理時刻であるか否かを判断する。具体的には、サンプリング処理手段４６１は、計時時刻が、「０時、１時、２時、３時、４時」になっているかをそれぞれ判断する（Ｓ１２〜Ｓ１６）。そして、どの時刻にも該当しなければ、受信レベル検出処理を終了する。この受信レベル検出処理ルーチンは、制御回路４のプロセス制御により、一定間隔で繰り返し自動実行されるため、一定時間毎に前記Ｓ１１〜Ｓ１６が適宜判断される。
【００５０】
そして、例えば電源投入後、最初に「０時」になると、Ｓ１２で「Ｙ」と判断される。すると、サンプリング処理手段４６１は、受信部２を駆動して受信処理を行う（Ｓ１７）。そして、サンプリング結果記憶手段４６２は、受信処理結果、つまり受信レベルを記憶手段４３のメモリ１に記憶し（Ｓ１８）、受信レベル検出処理を終了する。
【００５１】
繰り返し実行される受信レベル検出ルーチンにおいて、計時手段４１で計時されている時刻が１時になると、Ｓ１３で「Ｙ」と判断され、サンプリング処理手段４６１は、Ｓ１７と同様に、受信処理を行う（Ｓ１９）。さらに、サンプリング結果記憶手段４６２は、Ｓ１８と同様に、受信レベルを記憶手段４３のメモリ２に記憶する（Ｓ２０）。
【００５２】
以下、同様に、サンプリング処理手段４６１は、２時になった場合（Ｓ１４で「Ｙ」）および３時になった場合（Ｓ１５で「Ｙ」）には、受信処理を行う（Ｓ２１，Ｓ２３）。また、サンプリング結果記憶手段４６２は、各受信処理時の受信レベルを記憶手段４３のメモリ３，４にそれぞれ記憶する（Ｓ２２，Ｓ２４）。
【００５３】
また、サンプリング処理手段４６１は、４時になってＳ１６で「Ｙ」と判断すると、受信処理を行い（Ｓ２５）、サンプリング結果記憶手段４６２は受信レベルを記憶手段４３のメモリ５に記憶する（Ｓ２６）。その後、自動受信時刻設定手段４６は、時刻選択処理（Ｓ３０）を自動受信時刻選択手段４６３により実行する。
【００５４】
〔自動受信時刻選択処理〕
自動受信時刻選択手段４６３は、図５に示すように、まず、受信レベルが１番大きい（１番レベル）ものを検索し、そのデータが記憶されているアドレスに対応する受信時刻を選択してメモリＡに書き込んで設定する（Ｓ３１）。
自動受信時刻選択手段４６３は、続いて、受信レベルが２番目に大きい（２番レベル）ものを検索し、そのデータが記憶されているアドレスに対応する受信時刻を選択してメモリＢに書き込んで設定する（Ｓ３２）。
例えば、図２に示す例示の場合、受信レベルは、メモリ２が最も大きく、次にメモリ４が大きい。メモリ２は、１時の受信データが記憶され、メモリ４は３時の受信データが記憶されるため、各メモリＡ，Ｂには、それぞれ１時、３時が記憶される（Ｓ３１，３２）。
なお、Ｓ３１において、受信レベルが最も大きいものが複数存在する場合には、その内の２つの時刻を各メモリＡ，Ｂに設定すればよい。例えば、最大受信レベルが同じものが複数存在する場合、その中で受信時刻が早いもの、つまり受信時刻の数字が小さいものをメモリＡに設定し、次に受信時刻が早いものをメモリＢに設定すればよい。
同様に、Ｓ３２において、２番目に大きな受信レベルのものが複数存在する場合には、その内の１つの時刻を各メモリＢに設定すればよい。例えば、同じ受信レベルの中で受信時刻が早いもの、つまり受信時刻の数字が小さいものをメモリＢに設定すればよい。
【００５５】
各受信時刻（メモリ）Ａ，Ｂが選択されると、Ｓフラグが「０」に設定される（Ｓ３３）。このため、これ以降、受信レベル検出ルーチンが実行されても、Ｓ１で「Ｎ」と判断され、サンプリング処理は実施されないことになる。従って、以上の処理により、自動受信時刻が設定（選択）される。
【００５６】
〔自動受信処理１〕
受信処理手段４２は、計時手段４１で計時される時刻が、記憶手段４３のメモリＡ，Ｂに設定された自動受信時刻Ａ，Ｂ（前記例では、１時および３時）になったか否かを順次判断する（Ｓ３５，Ｓ３６）。
そして、計時手段４１で計時された時刻が時刻Ａ（１時）になって、Ｓ３５で「Ｙ」と判断された場合や、計時時刻が時刻Ｂ（３時）になって、Ｓ３６で「Ｙ」と判断された場合には、受信処理手段４２は受信部２を駆動して受信処理を実行する（Ｓ３７）。
受信処理（Ｓ３７）が行われると、従来の電波修正時計と同様に、受信したデータが正しい時刻情報であるか否かが判定され、正しい時刻が取得できれば、計時手段４１の内部カウンタが受信時刻で更新され、運針駆動制御手段４４やカレンダ表示手段４５は、受信時刻と針位置カウンタ等との差分だけ運針を行い、指針のずれを修正する。
【００５７】
このような本実施形態によれば、次のような効果がある。
(1) 自動受信時刻設定手段４６を設けたので、電源投入後に、サンプリング受信処理によって各時刻における受信レベルを検出し、その中で受信レベルが高い時刻を、その後の自動受信時刻として選択することができる。このため、実際に時計を利用する各ユーザーの利用環境において、受信条件のよい時間帯に受信処理を行うことができるので、例えば、１日の受信回数が２回と少なくても、高い確率で電波受信を行うことができる。従って、受信回数を少なくできて消費電力を低減でき、電池の使用時間も長くできる。また、自動受信処理時に電波を確実に受信できる可能性が高くなり、ユーザーが強制受信を行う必要がないため、受信操作性を向上できる。
【００５８】
(2) サンプリング処理手段４６１は、電源等入後の最初の自動受信時つまり予め設定された受信時刻である「０時、１時、２時、３時、４時」にサンプリング受信処理を行っているので、一般に、電気製品等の稼働が少なく、電波受信に影響を与えるノイズが少なく、かつ腕時計を腕から外して机などに載置していることで受信条件の良い時間帯にサンプリング受信を行うことができる。
このため、サンプリング受信によって受信条件の良い時間帯を検出できる可能性が非常に高くなり、その後の自動受信時においても確実に電波を受信して時刻修正を行うことができる。
【００５９】
(3) サンプリング結果記憶手段４６２は、周期が設定周期内のパルス信号の数を検出し、その数を受信レベルとして記憶手段４３に記憶しているので、例えば、受信回路２２の電流値や電圧値等を測定して受信レベルを検出する場合に比べて、制御回路４におけるデジタル的な処理のみで受信レベルを検出できるため、消費電力をより一層低減できる。
【００６０】
(4) サンプリング処理手段４６１は、定期的（２週間毎）にサンプリング受信処理を行っているので、ユーザーの利用環境が変化しても、サンプリング受信処理を再実行することで、その環境変化に対応して自動受信時刻を変更できるため、常に最適な時刻で受信を行うことができる。
【００６１】
〔第２実施形態〕
次に、本発明の第２実施形態について、図７，８を参照して説明する。なお、第２実施形態において、前記第１実施形態と同一又は同様の構成には同じ符号を付して説明を省略する。
本実施形態の電波修正時計１００は、図７に示すように、前記第１実施形態と同じ受信部２、基準信号生成部３を備えている。また、電波修正時計１００は、電波修正時計１と同様な制御回路４を備えている。
【００６２】
制御回路４は、計時手段４１、受信処理手段４２、記憶手段４３、運針駆動制御手段４４、カレンダ表示手段４５、自動受信時刻設定手段４６を備えている。このうち、計時手段４１、受信処理手段４２、運針駆動制御手段４４、カレンダ表示手段４５は前記第１実施形態と同一のものであるため、説明を省略する。
【００６３】
自動受信時刻設定手段４６は、自動受信を行う時刻を設定するものであり、本実施形態では、固定受信時刻および可変受信時刻の２つの時刻に自動受信を行うように設定している。固定受信時刻は、予め設定されて変更されない受信時刻であり、本実施形態では２時に設定されている。一方、可変受信時刻は、記憶手段４３に記憶され、受信状態に応じて変更される時刻である。本実施形態では、可変受信時刻の初期値は３時とされている。
そして、自動受信時刻設定手段４６は、記憶手段４３に記憶された可変受信時刻を変更する自動受信時刻変更手段４６５を備えている。
なお、記憶手段４３は、第１実施形態と同様にＲＡＭで構成され、アドレス：メモリＣに自動受信時刻変更手段４６５によって変更される自動受信時刻（可変受信時刻）が記憶されている。
【００６４】
このような第２実施形態の電波修正時計１００における制御回路４の動作を図８を参照して説明する。
第２実施形態の電波修正時計１００は、第１実施形態の電波修正時計１と異なり、サンプリング処理等の事前処理を行わない。このため、電波修正時計１００は、自動受信処理において、特別な処理つまり受信時刻変更処理を行っている。
すなわち、制御回路４は、図８に示す自動受信処理２を所定間隔で繰り返し実行する。自動受信処理２では、まず、受信処理手段４２が、計時手段４１で計時される時刻が、自動受信時刻設定手段４６で設定された固定受信時刻（本実施形態では２時）になったか否かを判断する（Ｓ４１）。
Ｓ４１で「Ｙ」と判断されると、受信処理手段４２は受信部２を駆動し、受信処理を行い（Ｓ４２）、今回の自動受信処理２を終了する。
【００６５】
一方、Ｓ４１で「Ｎ」と判断されると、計時時刻が可変受信時刻つまり記憶手段４３のメモリＣに設定された時刻Ｃになったか否かを判断する（Ｓ４３）。ここで、時刻Ｃの初期値は３時であるため、計時時刻が３時でなければ、Ｓ４３で「Ｎ」と判断され、受信処理手段４２は、今回の自動受信処理２を終了する。
また、Ｓ４３で「Ｙ」と判断されると、受信処理手段４２は受信処理を実行し（Ｓ４４）、受信に失敗したか否かを判断する（Ｓ４５）。Ｓ４５で受信成功と判断された場合（「Ｎ」の場合）には、受信処理手段４２は、今回の自動受信処理２を終了する。
【００６６】
また、Ｓ４５で「Ｙ」と判断されると、自動受信時刻変更手段４６５は、記憶手段４３のメモリＣの時刻データを、元の時刻に３０分加えて変更する（Ｓ４６）。すなわち、メモリＣが「３時」であった場合には、メモリＣを「３時３０分」に変更する。
続いて、自動受信時刻変更手段４６５は、変更されたメモリＣの時刻が５時以降であるか否かを判断する（Ｓ４７）。ここで、Ｓ４７が「Ｎ」の場合には、受信処理手段４２は今回の自動受信処理２を終了する。
一方、Ｓ４６の結果、メモリＣが「５時」に変更された場合のように、Ｓ４７で「Ｙ」と判断されると、自動受信時刻変更手段４６５は、メモリＣを初期値３時に変更し（Ｓ４８）、今回の自動受信処理２を終了する。
【００６７】
従って、図８に示す処理を実行すると、計時時刻が２時（固定受信時刻）になった時点で受信処理（Ｓ４２）が実施され、計時時刻が３時（可変受信時刻）になった時点で再度受信処理（Ｓ４４）が実施される。そして、可変受信時刻で受信に失敗した場合（Ｓ４５）には、可変受信時刻が３０分後（３時３０分）に変更される。
このため、翌日の自動受信処理２では、固定受信時刻（２時）と可変受信時刻（３時３０分）に受信処理が実施される。可変受信時刻で受信に失敗すると、可変受信時刻は順次＋３０分後（４時、４時３０分）に変更され、翌日はその変更後の時刻で受信処理が行われる。
一方、可変受信時刻で受信に成功すれば、自動受信時刻変更手段４６５による時刻変更処理（Ｓ４６）は実施されないため、翌日も同じ可変受信時刻で受信処理が実施されることになる。
さらに、変更された可変受信時刻が５時以降であれば、可変受信時刻は初期値３時に戻り、可変受信時刻は初期設定時刻となる。
【００６８】
このような第２実施形態によれば、次の効果がある。  自動受信時刻変更手段４６５を設け、受信に失敗した場合には可変受信時刻を変更している。このため、自動受信時刻変更手段４６５によって、可変受信時刻を、受信に成功した時刻に自動的に変更できるため、そのユーザーの使用環境において受信条件が良い時間帯を自動的に検出できる。このため、受信処理回数が少なくても電波受信に成功する確率を高めることができる。従って、受信回数を少なくできて消費電力を低減でき、電池の使用時間も長くできるとともに、電波を確実に受信できる可能性が高くなり、ユーザーが強制受信を行う必要がなく、受信操作性を向上できる。
【００６９】
また、第１実施形態と比較すると、サンプリング処理を行う必要がないため、その分、消費電力を軽減でき、電池の使用時間を長くすることができる。
【００７０】
さらに、自動受信時刻設定手段４６は、可変受信時刻の他に、固定受信時刻（２時）も設定しているので、この固定受信時刻を一般的に最も受信環境のよい時間帯を設定しておくことで、可変受信時刻で受信に失敗しても固定受信時刻で受信に成功する可能性を高めることができる。このため、１日の受信処理において、固定受信時刻と可変受信時刻との２回の受信処理を行うことで、標準電波を受信できる可能性を向上でき、時刻修正を効率的に行うことができる。
【００７１】
なお、本発明は前記実施形態に限定されるものではなく、本発明の目的を達成できる範囲での変形、改良等は、本発明に含まれるものである。
例えば前記第１実施形態では、サンプリング処理における受信時刻（０，１，２，３，４時）は予め設定されていたが、これらの時刻をユーザーが設定できるようにしてもよい。すなわち、記憶手段４３に、各受信時刻を記憶するアドレス（例えばメモリ６〜１０）を設け、各メモリに受信時刻のデータを記憶し、受信処理手段４２は、この記憶された受信時刻に基づいてサンプリング受信処理を実行するように設定してもよい。この場合、ユーザーが自らの使用環境に応じて受信に適した時刻を設定できるため、受信に成功する確率をより高くできる利点がある。
【００７２】
また、第１実施形態では、電源投入後やシステムリセット後に、予め設定されていたサンプリング受信時刻になるとサンプリング受信処理を行っていたが、ユーザーの所定操作（電源投入操作、システムリセット操作、さらにはユーザーのサンプリング受信処理指示操作等）によって、サンプリング受信処理を実行するようにしてもよい。この場合、サンプリング処理手段４６１は、ユーザーの所定操作があると、受信処理手段４２に受信処理を実行させる。さらに、自動受信時刻設定手段４６は、この受信処理で現時刻が取得できた後、所定時間間隔（例えば１時間間隔）でサンプリング受信処理を行うように、例えば、記憶手段４３にサンプリング受信時刻記憶用のメモリを設け、各受信時刻をメモリに書き込む。そして、サンプリング処理手段４６１は、この時刻を参照してサンプリング受信処理を実行すればよい。
このような構成であれば、ユーザーが所定の操作を行うことで、自由にサンプリング受信処理時刻を設定できるため、ユーザーの利用環境に応じた時刻で受信処理を行うことができ、電波を受信できる可能性を高めることができる。その上、電源投入時やシステムリセット時には、針の時刻修正を行うために電波受信を行うことが一般的であるため、最初のサンプリング受信処理をこの電波受信と兼用することができ、その分、受信回数を減少できて消費電力を減少できる。
【００７３】
また、前記第１実施形態では、サンプリング受信による自動受信時刻設定処理から２週間経過する毎に、再度自動受信時刻設定処理を行っていたが、この間隔は２週間に限らず、１週間などのより短い間隔でもよいし、４週間や半年などのより長い間隔でもよい。
さらに、受信状態に応じてこの期間を変更してもよい。例えば、自動受信時刻設定処理で設定された時刻における受信処理の失敗回数が増えた場合には、ユーザーの利用環境が変化した可能性があるため、次回の自動受信時刻設定処理を実施するまでの期間を短くして早期に対応すればよい。逆に、自動受信時刻設定処理で設定された時刻における受信処理に成功している場合には、受信時刻を変更する必要性が低いので、次回の自動受信時刻設定処理を実施するまでの期間をより長く設定すればよい。
【００７４】
また、定期的な自動受信時刻設定処理は行わず、システムリセット操作やサンプリング受信指示操作等のユーザーの操作時のみに自動受信時刻設定処理を行うようにしてもよい。このような構成によれば、定期的にサンプリング受信処理を行う必要がないため、消費電力を低減できる。なお、定期的なサンプリング受信処理を行わない場合でも、ユーザーの利用環境に大きな変化が無ければ、通常は、設定された時刻での受信処理で標準電波を受信できるため、時刻修正は行える。また、仮に、ユーザーの利用環境に変化が生じて受信できなくなった場合には、受信失敗等の受信履歴をユーザーに通知し、そのユーザーが所定の操作を行ってサンプリング受信処理を行うことで、自動受信時刻を受信環境が良い時間帯に変更できる。
【００７５】
さらに、前記第２実施形態では、可変受信時刻の他に、固定受信時刻を設定していたが、可変受信時刻のみにしてもよい。この場合、可変受信時刻は１つでもよいし、２つ以上設定してもよい。また、固定受信時刻を設ける場合、１つに限らず、複数設けてもよい。
【００７６】
さらに、第２実施形態では、固定受信時刻は予め設定されていたが、ユーザーが変更したり、第１実施形態と同様なサンプリング受信処理を行って最も受信環境が良い時刻を固定受信時刻に設定してもよい。
また、第２実施形態では、可変受信時刻の初期値（３時）、可変量（＋３０分）、可変範囲（５時未満）などは予め設定されていたが、これらの値を記憶手段４３に記憶してユーザー等が変更できるようにしてもよい。さらには、サンプリング受信処理で固定受信時刻を設定する場合には、その固定受信時刻を基準にして、その時刻の＋１時間を可変受信時刻の初期値にし、＋２時間を可変範囲にするなどして、自動受信時刻設定手段４６が自動的に設定するようにしてもよい。
【００７７】
また、時刻表示手段５としては、指針を用いたものに限らず、円板、円環状や円弧形状のものを用いたアナログ式の表示手段でもよいし、液晶パネル等を用いたデジタル式の表示手段でもよい。
更に、本発明の電波修正時計は、前述した腕時計の他に、置時計、柱時計、掲示時計などどのような時計であってもよく、あるいは内蔵されている時計機能部に本発明が適用された携帯電話、ＰＤＡ等の電子機器であってもよい。
【００７８】
さらに、本発明では、電波修正時計１，１００にＣＰＵ、メモリ等を配置してコンピュータとして機能できるように構成し、このコンピュータで基準信号生成部３、制御回路４、受信部２の一部を構成していたが、回路素子等によって構成してもよい。
但し、コンピュータで構成すれば、プログラムを変更するだけで、容易に条件を変更できるため、各種の電波修正時計１，１００に応じた適切な制御を容易に行うことができるという利点がある。
なお、電波修正時計１，１００内のコンピュータに所定プログラムや設定値等のデータを組み込むには、通常は、電波修正時計１，１００内に組み込まれたＲＡＭやＲＯＭ等のメモリに予め記憶しておけばよい。また、プログラムやデータを後からインストール可能できるようにしてもよい。この場合、メモリーカードやＣＤ−ＲＯＭ等の記録媒体を電波修正時計１，１００に直接差し込んで行ってもよいし、これらの記録媒体を読み取る機器を外付けで電波修正時計１，１００に接続してもよい。さらに、ＬＡＮケーブル、電話線等を電波修正時計１，１００に接続したり、前記アンテナ２１を利用することで通信によってプログラムを供給してインストールしてもよい。
【図面の簡単な説明】
【００７９】
【図１】本発明の第１実施形態における電波修正時計の構成を示すブロック図。
【図２】第１実施形態の記憶手段内に記憶されたデータを示す説明図。
【図３】第１実施形態における自動受信時刻設定処理を示すフローチャート。
【図４】第１実施形態における受信レベル検出処理を示すフローチャート。
【図５】第１実施形態における時刻選択処理を示すフローチャート。
【図６】第１実施形態における自動受信処理を示すフローチャート。
【図７】本発明の第２実施形態における電波修正時計の構成を示すブロック図。
【図８】第２実施形態における自動受信処理を示すフローチャート。
【符号の説明】
【００８０】
１，１００…電波修正時計、２…受信部、３…基準信号生成部、４…制御回路、５…時刻表示手段、２１…アンテナ、２２…受信回路、４１…計時手段、４２…受信処理手段、４３…記憶手段、４４…運針駆動制御手段、４５…カレンダ表示手段、４６…自動受信時刻設定手段、５２…時針、５３…分針、５４…秒針、４６１…サンプリング処理手段、４６２…サンプリング結果記憶手段、４６３…自動受信時刻選択手段、４６５…自動受信時刻変更手段。
【図１】
2005233825.tif 000003
【図２】
2005233825.tif 000004
【図３】
2005233825.tif 000005
【図４】
2005233825.tif 000006
【図５】
2005233825.tif 000007
【図６】
2005233825.tif 000008
【図７】
2005233825.tif 000009
【図８】
2005233825.tif 000010